(57)【要約】【課題】従来の長いも両側部を掘削する掘削チェンから一定の距離を有して、生育した長いもの下端に鋤きこまれる掘り取り刃体が配置されている長いも収穫装置は、掘り取り刃体の刃部が長いもの下端に差し込まれたとき栽培土ブロックの下層部に圧縮力を発生させて長芋に擦り傷を与える問題があった。【解決手段】成育した長いもの両側部を掘削して長いもの下端部まで掘取り、後部が上方に傾斜した掘取り刃体によって長いもを順次栽培土と共に浮上させて後方へ移動させる長いもの掘取り装置において、前記掘取り刃体の刃部の上方部に両側部を掘削する掘削チェンの最下端を近接させて配置し、ブームに長さ調整手段が具備して、掘削チェン上下の長さを調整して掘削チェンの下端部と掘り取り刃体との近接高さを調整可能としたたことを特徴としたトラクタに連結する長いも収穫装置であって、長いもの擦り傷を与える掘り取り刃体の下層部に発生させる圧縮力を排除する構成である。【選択図】図１
2014212786.tif 000002
【特許請求の範囲】
【請求項１】
成育した長いもの両側部を掘削して長いもの下端部まで深耕し、さらに後部が上方に傾斜した掘取り刃体によって長いもを順次栽培土と共に浮上させて後方へ移動させる長いもの掘取り装置において、前記長いもの両側部を掘削する掘削チェンの下端に掘取り刃体の刃部を近接させて配置したことを特徴としたトラクタに連結する長いも収穫装置
【請求項２】
ブームに長さ調整手段が具備して、掘削チェン上下の長さを調整して掘削チェンの下端部と掘り取り刃体との近接高さを調整可能とした請求項１記載のトラクタに連結する長いも収穫装置
【請求項３】
掘り取り刃体の刃部の幅は両サイド掘削チェンの内幅に形成し、掘り取り刃体部の傾斜した後半部は掘削チェンの溝幅に重なるように広幅に構成した請求項１記載のトラクタに連結する長いも収穫装置
【請求項４】
掘り取り刃体の後端には掘り取り刃体と同一面上で微振動する落下補助板を設けた請求項１記載のトラクタに連結する長いも収穫装置
【発明の詳細な説明】
【技術分野】
【０００１】  本発明は、トラクタの後部に連結して、掘り取り刃体を生育した長いもの下端部へ鋤きこみ、長いもの周囲の栽培土とともにブロック状に抱持して、後方に向けて浮上させながら、長いもに擦り傷をつけないで掘り取るトラクタに連結する長いも収穫装置に関する。
【背景技術】
【０００２】  長いもの収穫装置は、従来から種々提案されている。生育した長芋は地下に向けて略１メートルの深さに成長して、収穫作業は重労働であり、同時に長いもは折れやすく且つ表面の肌は擦り傷が付きやすい特性がある。そして掘り取り刃体を長いもの生育した下端部へ鋤きこみ、長いもの周囲の栽培土とともにブロック状に抱持して、後方に向けて浮上させながら、長いもに傷をつけないで掘り取ろうとした装置としては同一出願による特許２８６５２５２号並びに特開２００６−２５６０１公報が提案されている。
前者は『トラクタのＰＴＯから入力したミッションにより回転駆動し、成育長いもの両側部を掘削する一対の掘削手段と、該一対の掘削手段の後方に後部が上方に傾斜して配設された掘取り刃体と、前記ＰＴＯ軸に連結された入力軸より駆動媒体を介して回転するモータと、該モータにより回転駆動され、前記掘取り刃体の後部を構成する無端ベルトコンベアとを備え、該ベルトコンベアのトラクタの作業前進速度に対応した速度の回転により、栽培土中の長いもを栽培土ブロックに保護・保持し、かつ鉛直姿勢を保った状態で上向き後方へ移動することを特徴とする長いもの掘取り装置』の構成が開示され、その効果として、長いも掘取り刃体の後部を構成するコンベアベルトがトラクタの作業前進速度に対応した速度で回転するので、栽培土には歪んだ後側土圧の発生がなく、栽培土中で育成したままの鉛直姿勢を保った状態で後方へ移動してくる長いもは折れ等の損傷がなく掘り取りできると記載されている。
後者は『トラクタの後部に連結され、長いもの両側部の栽培土をトラクタの前進に従って掘り起こす１対の鋤部材と、前記１対の鋤部材の下部に回動自在に連結され、前部が刃部を形成し後部が上方に傾斜して配設された掘取り刃体とを有する長いも堀取り装置において、前記掘取り刃体と鋤部材との連結が１対の連結バーによって支持されものであり、前記連結バーの一端が前記鋤部材の下端に固着され、かつ、前記連結バーの他端が前記掘取り刃体の裏面に設けられた支軸に回動自在に装着されるとともに、前記連結バーが前記掘り取り刃体の裏面に完全に隠れるように配設されることを特徴とする長いも堀取り装置』の構成が開示される。その効果は、トラクタが長いも掘取り装置を牽引する際に受ける土からの抵抗力が軽減されるので、比較的小さなパワーのトラクタでも牽引が可能となるものである。
【先行技術文献】
【特許文献】
【０００３】
【特許文献１】特許２８６５２５２号公報
【特許文献２】特開２００６−２５６０１公報
【発明の概要】
【発明が解決しようとする課題】
【０００４】前述した特許２８６５２５２号公報の実施態様の構成に寄れば、側面視において、長いも両側部を掘削する掘削チェンから一定の距離を有して、生育した長いもの下端に鋤きこまれる掘り取り刃体の刃部が配置されている。したがって、従来の実施例に開示される参考図７に示されるように、生育いもの両サイドを掘削チェンが掘削した後に、一定距離Ｌをおいて、あらためて掘り取り刃体の刃部が長いもの下端に差し込まれるので、土壌が硬い場合やトラクタ速度をさらに速めようとすると、傾斜した掘り取り刃体の上面が栽培土ブロックの下層部に圧縮力Ｐを発生させて長芋に擦り傷を与えたり、下層部を崩壊させ長いもの下端が歪んで破損する等の問題あった。
【課題を解決するための手段】
【０００５】前記した問題を解決する為に、成育した長いもの両側部を掘削して長いもの下端部まで掘取り、後部が上方に傾斜した掘取り刃体によって長いもを順次栽培土と共に浮上させて後方へ移動させる長いもの掘取り装置において、前記長いもの両側部を掘削する掘削チェンの下端に掘取り刃体の刃部を近接させて配置したことを特徴としたトラクタに連結する長いも収穫装置を提供する。
また、前記長いも収穫装置においてブームに長さ調整手段が具備して、掘削チェンの上下の長さを調整して掘削チェンの下端部と掘り取り刃体との近接高さを調整可能とした構成である。
また、前記長いも収穫装置において、掘り取り刃体の刃部の幅は両サイド掘削チェンの内幅に形成し、掘り取り刃体部の傾斜した後半部は掘削チェンの溝幅に重なるように広幅に構成したものである。
また、前記収穫装置において、掘り取り刃体の後端には掘り取り刃体面上で微振動する落下補助板を設けた構成である。
【発明の効果】
【０００６】以上のような構成にしたので両サイドの掘削チェンによって作られた深耕溝と、掘取り刃体の刃部が長いもの下端への刺さり込みと同時に断面Ｕ字状の栽培土ブロックを形成して、順次浮上させて後方へ移動させるので、従来のような掘り取り刃体の刃部が栽培土ブロックの下層部に圧縮力を発生させないので擦り傷や、栽培土ブロックの下層の崩壊による破損が著しく少なくなった。また、掘り取り刃体の後半部を広幅に形成し、後端部に微振動する落下補助板を設けたので栽培土ブロックが滑らかに移動して、長芋を把持した後に、浮上した栽培土をスムーズ落とし込むので長いもの抜き取りが容易になった。
【図面の簡単な説明】
【０００７】
【図１】は本発明を実施した作業状態を示す側面図
【図２】は一部を省略した平面図
【図３】は落下補助板の微振動説明図
【図４】は栽培土ブロックの浮上モデル図
【図５】は栽培土ブロック形成図
【図６】は一部を省略した斜視図
【図７】は従来の実施例示す側面図
【発明を実施するための形態】
【０００８】本発明は成育した長いもの両側部を掘削して長いもの下端部まで掘取り、後部が上方に傾斜した掘取り刃体によって長いもを順次栽培土と共に浮上させて後方へ移動させる長いもの掘取り方法において、前記掘取り刃体の刃部の上方部に両側部を掘削する掘削チェンを近接させて配置したことを特徴としたトラクタに連結する長いも収穫装置であり、掘り取り刃体の刃部の幅は両サイド掘削チェンの内幅に形成し、掘り取り刃体部の傾斜した後半部は掘削チェンの溝幅に重なるように広幅に構成し、また、掘り取り刃体の後端には掘り取り刃体の同一面上に微振動する落下補助板を設けて構成し、長いもを抱持して移動する断面Ｕ字状の栽培土ブロック一体的につくり、長いもに不要な傷を与えることなく簡便に収穫するものである。
【実施例】
【０００９】図１において、１は乗用４輪トラクタを示し、トラクタの後部に３点リンク２によって長いも掘り取り装置２３の機枠体３の前部を連結してなる。４はトップブラケットで、機枠体３の前方に横架して支軸６を支点として回動自在に支持される。４の中央にはトラクタ側のトップリンクが連結されている。８は支持バーを示して機枠体３の左右に一対下方に向けて取り付けられている。支持バー８の下端部には後方に向けて傾斜した掘り取り刃体９が設置されている。掘り取り刃体９の先端は刃部１０を設けて後端を形成する落下補助板１１は微振動される。１２は埋め戻し板で、傾斜した掘り取り刃体９が後方に浮上させた栽培土を下方に埋め戻すものである。
１８は掘削チェンを示し、生育いもの左右両側部を切断しながら深耕するものである。
１６は駆動スプロケットで図示してないが変速ボックス７から伝動される。１７はブームで前記駆動スプロケット１６とに掛け渡した掘削チェン１８を支承する。ブーム１７には長さ調整手段３３が具備されていて、土性や、作業速度の選択によって、掘削チェン１８の上下長さを調整して掘削チェンの下端部と掘り取り刃体９との相対する近接高さを調整する。１３はカウンタ軸を示し、変則ボックス７から伝動されて偏心部１４を介して連結ロッド１５により落下補助板１１を微振動させる。１９はクリーナーを示し掘り取り刃体９が後方にせり上げた栽培土の上面部を左右に排除して長いもの首を突出させるものである。
５はユニバーサルジョイントでトラクタのＰＴＯ軸から伝動されて変速ボックス７を駆動する。２４は油圧シリンダでトップブラケット４に対して機枠体３に支持された掘り取り刃体９の姿勢を調整するものである。
図２は本発明の一部を省略した平面図であり、２５はロアリンクで、機枠体３の前方両側に連結される。５はユニバーサルジョイントでトラクタ１から伝動されて変速ボックス７に入力される。変速ボックス７は左右の掘削チェン１８を駆動し、一方で入力軸に設けた伝道車２６を介してカウンタ軸１３を回転する。カウンタ軸１３の先端には偏心部１４を設けて、さらに１９のクリーナを左右に揺動する手段を具備してなる。
９は掘り取り刃体を示し、先端部は両側の掘削チェン１８の内幅に形成し、掘り取り刃体部の傾斜した後半部は掘削チェンの掘削した溝幅に重なるように広幅に構成したものである。堀取り刃体９は、刃部１０の後部に無端ベルトコンベヤを備えること及び無端ベルトコンベヤをモータで駆動しても本発明の主旨を変えるものではない。【００１０】  図３は１１の落下補助板の微振動説明図であり、機枠体３に載置された変速ボックス７から伝動車２６と伝導帯２７を介してカウンタ軸１３を回転する。さらにカウンタ軸１３の他方端に設けた偏心部１４を駆動させて連結ロッド１５を上下運動（ｆ１）させてクランクロッド２８を往復運動（ｆ２）させる。次いで、落下防止板１１は支点軸２９を支点として微振動（ｆ３）するものである。
図４は栽培土ブロック３０の浮上モデル図を示し、図５は栽培土ブロック３０の断面Ｕ字形成図を示すものである。図４の掘削チェンは前面から下端に向けて正回転しながら長いもの両側部を切断深耕し、このとき、掘削チェンの下端に近接して配置されている掘り取り刃体の刃部が同時に生育いもの下端に鋤きこまれて断面Ｕ字状に一体的に形成される。掘り取り刃体の先端部の刃部１０は両側掘削チェンの内幅Ｈ１に形成され、後半部は切断深耕溝３２に重なる広幅Ｈ２に形成され、刃部１０でＵ字状に栽培ブロックを形成した後には、この広幅部分で長いもが傾かないように効率よく栽培ブロックを浮上させるのである。
図６は一部を省略した斜視図で機枠体３に横架した横軸２０に対して掘削チェン１８と駆動ユニットはスライドシリンダー２２に横移動される。トラクタの後部に掘り取り装置を連結したとき、機枠体３に対して支軸３を介してトップブラケット４は設けられ２４の油圧シリンダーの伸縮によって掘り取り部の姿勢が制御される。
図７は従来の実施例図を示したもので、掘削チェン１８から一定距離Ｌ離れて掘り取り刃体９の刃部１０が位置しているので、土壌が硬い場合やトラクタ速度をさらに速めようとすると、生育いもの両サイドを掘削チェンが掘削した後に、一定距離Ｌを経過して、あらためて掘り取り刃体の刃部が長いもの下端に差し込まれる。このとき、傾斜した掘り取り刃体の上面が栽培土ブロックの下層部に圧縮力Ｐを発生させて長芋に擦り傷を与えることがあった。
【産業上の利用可能性】
【００１１】  本発明によるトラクタに連結する長いもの掘り取り装置は、大規模プロ農家の長いも圃場において、長いもを無傷で、能率的な収穫作業をするとき利用される。
【符号の説明】
【００１２】１  トラクタの後部
２  ３点リンク
３  機枠体
４  トップブラケット
５  ユニバーサルジョイント
６  支軸
７  変速ボックス
８  支持バー
９  掘り取り刃体
１０  刃部
１１  落下補助板
１２  埋め戻し板
１３  カウンタ軸
１４  偏心軸
１５  連結ロッド
１６  駆動スプロケット
１７  ブーム
１８  掘削チェン
１９  クリーナー
２０  横軸
２１  パイプ軸
２２  スライドシリンダー
２３  長いも掘り取り装置
２４  油圧シリンダ
２５  ロアリンク
２６  伝動車
２７  伝動帯
２８  クランクロッド
２９  支点軸
３０  栽培土ブロック
３１  長いも
３２  深耕溝
３３  長さ調整手段
【図１】
2014212786.tif 000003
【図２】
2014212786.tif 000004
【図３】
2014212786.tif 000005
【図４】
2014212786.tif 000006
【図５】
2014212786.tif 000007
【図６】
2014212786.tif 000008
【図７】
2014212786.tif 000009
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
成育した長いもの両側部を掘削して長いもの下端部まで深耕し、さらに後部が上方に傾斜した掘取り刃体によって長いもを順次栽培土と共に浮上させて後方へ移動させる長いもの掘取り装置において、前記長いもの両側部を掘削する掘削チェンの下端に掘取り刃体の刃部を近接させて配置し、前記掘削チェンを支承するブームに長さ調整手段を具備して、掘削チェン上下の長さを調整して掘削チェンの下端部と掘り取り刃体との近接高さを調整可能とするとともに掘り取り刃体の後端には掘り取り刃体と同一面上で微振動する落下補助板を設けたトラクタに連結する長いも収穫装置
【請求項２】
掘り取り刃体の刃部の幅は両サイド掘削チェンの内幅に形成し、掘り取り刃体部の傾斜した後半部は掘削チェンの溝幅に重なるように広幅に構成した請求項１記載のトラクタに連結する長いも収穫装置
【手続補正２】
【補正対象書類名】明細書
【補正対象項目名】０００５
【補正方法】変更
【補正の内容】
【０００５】前記した問題を解決する為に、成育した長いもの両側部を掘削して長いもの下端部まで掘取り、後部が上方に傾斜した掘取り刃体によって長いもを順次栽培土と共に浮上させて後方へ移動させる長いもの掘取り装置において、前記長いもの両側部を掘削する掘削チェンの下端に掘取り刃体の刃部を近接させて配置し、前記掘削チェンを支承するブームに長さ調整手段を具備して、掘削チェンの上下の長さを調整して掘削チェンの下端部と掘り取り刃体との近接高さを調整可能とするとともに掘り取り刃体の後端には掘り取り刃体と同一面上で微振動する落下補助板を設けた構成である。
また、前記長いも収穫装置において、掘り取り刃体の刃部の幅は両サイド掘削チェンの内幅に形成し、掘り取り刃体部の傾斜した後半部は掘削チェンの溝幅に重なるように広幅に構成したものである。